【手続補正書】
【提出日】平成16年11月30日(2004.11.30)
【手続補正１】
【補正対象書類名】特許請求の範囲
【補正対象項目名】請求項１
【補正方法】変更
【補正の内容】
【請求項１】
複数のＡＶファイルを保存するためのメモリデバイスを有するパーソナルコンピュータと、
前記パーソナルコンピュータにネットワーク経由で接続され、前記パーソナルコンピュータから配信されたＡＶファイルに基づいて音及び／又は映像を再生するクライアント機器とを備え、
前記パーソナルコンピュータにサーバアプリケーションプログラム及びコントローラアプリケーションプログラムがインストールされ、
前記コントローラアプリケーションプログラムは、
前記メモリデバイスに保存されたＡＶファイルの中から所望のＡＶファイルを選択するＡＶファイル選択ステップと、
前記選択されたＡＶファイルの再生命令を前記クライアント機器に送信する再生命令ステップとを含み、
前記クライアント機器は、
前記コントローラアプリケーションプログラムからの再生命令に応じて、前記選択されたＡＶファイルの配信要求を前記サーバアプリケーションプログラムに送信する手段を含み、
前記サーバアプリケーションプログラムは、
前記クライアント機器からの配信要求に応じて、前記メモリデバイスから前記選択されたＡＶファイルを読み出すステップと、
前記読み出されたＡＶファイルを前記クライアント機器に配信するステップとを含むことを特徴とするネットワークＡＶシステム。
【手続補正２】
【補正対象書類名】特許請求の範囲
【補正対象項目名】請求項３
【補正方法】変更
【補正の内容】
【請求項３】
請求項１又は請求項２に記載のネットワークＡＶシステムであって、
前記コントローラアプリケーションプログラムはさらに、
前記クライアント機器のアイコンを前記パーソナルコンピュータのディスプレイに表示させるステップを含み、
前記ＡＶファイル選択ステップは、前記所望のＡＶファイルのアイコンを前記クライアント機器のアイコンにドラッグしかつドロップするユーザの操作に応じて、前記所望のＡＶファイルを選択することを特徴とするネットワークＡＶシステム。
【手続補正３】
【補正対象書類名】特許請求の範囲
【補正対象項目名】請求項６
【補正方法】変更
【補正の内容】
【請求項６】
請求項２、請求項４又は請求項５に記載のネットワークＡＶシステムであって、
前記ＡＶ情報登録ステップは、前記ＡＶ情報に識別子を付与し、
前記サーバアプリケーションプログラムはさらに、
前記識別子を前記コントローラアプリケーションプログラムに送信するステップを含み、
前記再生命令ステップは、前記再生命令を前記識別子とともに前記クライアント機器に送信することを特徴とするネットワークＡＶシステム。
【手続補正４】
【補正対象書類名】特許請求の範囲
【補正対象項目名】請求項７
【補正方法】変更
【補正の内容】
【請求項７】
請求項１〜請求項６のいずれか１項に記載のネットワークＡＶシステムに使用されるサーバアプリケーションプログラム。
【手続補正５】
【補正対象書類名】特許請求の範囲
【補正対象項目名】請求項８
【補正方法】変更
【補正の内容】
【請求項８】
請求項１〜請求項６のいずれか１項に記載のネットワークＡＶシステムに使用されるコントローラアプリケーションプログラム。
【手続補正６】
【補正対象書類名】明細書
【補正対象項目名】００１６
【補正方法】変更
【補正の内容】
【００１６】
本発明によるネットワークＡＶシステムは、ＰＣと、クライアント機器とを備える。ＰＣは、複数のＡＶファイルを保存するためのメモリデバイス（ハードディスク、半導体メモリ、光ディスクなど）を有する。クライアント機器は、ＰＣにネットワーク経由で接続され、ＰＣから配信されたＡＶファイルに基づいて音及び／又は映像を再生する。ＰＣには、サーバアプリケーションプログラム及びコントローラアプリケーションプログラムがインストールされる。コントローラアプリケーションプログラムは、メモリデバイスに保存されたＡＶファイルの中から所望のＡＶファイルを選択するＡＶファイル選択ステップと、選択されたＡＶファイルの再生命令を前記クライアント機器に送信する再生命令ステップとを含む。クライアント機器は、コントローラアプリケーションプログラムからの再生命令に応じて、選択されたＡＶファイルの配信要求をサーバアプリケーションプログラムに送信する手段を含む。サーバアプリケーションプログラムは、クライアント機器からの配信要求に応じて、メモリデバイスから選択されたＡＶファイルを読み出すステップと、読み出されたＡＶファイルをクライアント機器に配信するステップとを含む。
【手続補正７】
【補正対象書類名】明細書
【補正対象項目名】００４８
【補正方法】変更
【補正の内容】
【００４８】
曲リストエリア７７には、フォルダツリーエリア７６で選択されたフォルダ５４，９４内のＡＶファイル５０が表示される。具体的には、ＡＶファイル５０のファイル名（曲名）が表示される。表示された１又は２以上のＡＶファイル５０は曲リストを構成する。
【手続補正８】
【補正対象書類名】明細書
【補正対象項目名】００５２
【補正方法】変更
【補正の内容】
【００５２】
ユーザが選択したクライアント機器２１のアイコン７８上にユーザフォルダ５４内の１又は２以上の所望のファイルをドラッグしかつドロップすると、コントローラアプリ４８はこの操作を検知し（Ｓ１１２）、ドラッグされたファイルのうちＡＶファイル５０だけを曲リストエリア７７に表示する（Ｓ１１３）。ＡＶファイルか否かの判別はファイルの拡張子に基づいて行う。ユーザが操作及び監視対象のクライアント機器２１を予め選択することなく、直ちに所望のファイルをクライアント機器２１のアイコン７８上にドラッグしかつドロップした場合も同様に、コントローラアプリ４８はＡＶファイル５０だけを曲リストエリア７７に表示する（Ｓ１１３）。
【手続補正９】
【補正対象書類名】明細書
【補正対象項目名】００７７
【補正方法】変更
【補正の内容】
【００７７】
図１１を参照して、コントローラアプリ４８は、受信したクライアント情報のリスト構築キー「curKey」を、記憶しておいたクライアント監視情報のリスト構築キー「setcurKey」と比較する（Ｓ１３１）。これにより、コントローラアプリ４８は、クライアント機器２１で再生を完了した曲がコントローラアプリ４８で選択された曲か、クライアント機器２１自身又は他のコントローラアプリ４８で選択された曲かを区別することができる。
【手続補正１０】
【補正対象書類名】明細書
【補正対象項目名】００８２
【補正方法】変更
【補正の内容】
【００８２】
ユーザが図６に示した再生ボタン９０ａをクリックすると（Ｓ１４１）、コントローラアプリ４８はこの操作に応じて「status」が再生か否かを判別する（Ｓ１４２）。「status」が再生の場合、図９に示したステータス表示処理により再生ボタン９０ａは一時停止マークで表示されているので、コントローラアプリ４８は一時停止命令コマンドをクライアント機器２１に送信する（Ｓ１４３）。一方、「status」が再生以外の場合、再生ボタン９０ａは再生マークで表示されているので、コントローラアプリ４８は再生命令コマンドをクライアント機器２１に送信する（Ｓ１４４）。
【手続補正１１】
【補正対象書類名】明細書
【補正対象項目名】００８６
【補正方法】変更
【補正の内容】
【００８６】
図６に示したフォルダツリーエリア７６でユーザがユーザフォルダ５４の中から所望のサブユーザフォルダ５５をクリックすると、コントローラアプリ４８はそのサブユーザフォルダ５５内の１又は複数のＡＶファイル５０を曲リストエリア７７に表示する。